(57)【特許請求の範囲】
【請求項１】
放射性廃液にベントナイトを添加して所定の処理槽で撹拌する第１の工程と、該撹拌を行った放射性廃液に凝集剤を添加することでベントナイト分を凝集させて抽出する第２の工程と、を備え、ベントナイト分抽出後の放射性廃液の放射性レベルが所定基準以上である場合、該当放射性廃液に関して前記第１及び第２の工程を複数回繰り返す放射性廃液中の放射性物質除去方法において、
ベントナイト分抽出後の放射性廃液の放射性レベルが所定基準以下である場合、該当放射性廃液を海に放出し、
前記第１及び第２の工程を所定回数繰り返しても、ベントナイト分抽出後の放射性廃液の放射性レベルが所定基準以上であり、かつ、前記放射性廃液に半減期が所定期間以下である核種のみ含まれていた場合、該当放射性廃液を貯留して前記放射性レベルが所定基準以下となるのを待って海に放出し、
前記第１及び第２の工程を所定回数繰り返しても、ベントナイト分抽出後の放射性廃液の放射性レベルが所定基準以上であり、かつ、前記放射性廃液に半減期が所定期間以上である核種が含まれていた場合、該当放射性廃液を深地層の岩盤に注入する、
ことを特徴とする放射性廃液中の放射性物質除去方法。
【請求項２】
前記第２の工程で抽出したベントナイトに固化剤を添加して所定容器にて固化させる第３の工程を含むことを特徴とする請求項１に記載の放射性廃液中の放射性物質除去方法。
【請求項３】
放射性廃液にベントナイトの添加を行うベントナイト添加装置と、
前記ベントナイトの添加を行った放射性廃液を収容する所定の処理槽と、
前記処理槽における放射性廃液の撹拌を行う撹拌装置と、
前記撹拌が行われた放射性廃液に凝集剤を添加する凝集剤添加装置と、
前記凝集剤の添加により凝集したベントナイト分を抽出する抽出装置と、
ベントナイト分抽出後の放射性廃液の放射性レベルを測定する測定装置と、
前記測定した放射性レベルが所定基準以上である場合、該当放射性廃液を前記ベントナイト添加装置に再投入する放射性廃液循環装置と、
前記ベントナイト分抽出後の放射性廃液を、海、貯留手段、及び深地層の岩盤にそれぞれ排出するための第１、第２、及び第３の排出系統と、
前記放射性廃液を前記第１、第２、及び第３の排出系統の何れかに供給するポンプ手段と、
前記測定した放射性レベルが所定の基準値以下である場合に、前記放射性廃液を前記第１の排出系統に排出させるように前記ポンプ手段を制御し、前記放射性廃液を前記ベントナイト添加装置に再投入した回数が所定回数に達しても、前記測定した放射性レベルが所定の基準値以上である場合に、前記放射性廃液に半減期が所定期間以下である所定核種のみ含まれていれば、前記放射性廃液が前記第２の排出系統に排出されるように前記ポンプ手段を制御し、前記放射性廃液に半減期が所定期間以上の核種が含まれていれば、前記放射性廃液が前記第３の排出系統に排出されるように前記ポンプ手段を制御する制御手段と、
を備えることを特徴とする放射性廃液中の放射性物質除去システム。
【発明の詳細な説明】
【技術分野】
【０００１】
本発明は、放射性廃液中の放射性物質除去方法、および放射性廃液中の放射性物質除去システムに関するものであり、具体的には、大量の放射性廃液を効率良く処理する技術に関する。
【背景技術】
【０００２】
原子力関連施設から生じる放射性廃液の処理技術が従来より提案されている。例えば、原子力発電所からの排水を限外ろ過膜を用いて処理する方法であって、限外ろ過膜の入口側圧力と該膜の透過水側の圧力とを制御して限外ろ過膜の洗浄排水の流量を制御するとともに、限外ろ過膜の入口側の洗浄排水の圧力を検知し該圧力が上昇した時に限外ろ過膜に流入させる洗浄排水の流れ方向を逆転させることを特徴とする方法（特許文献１参照）などが提案されている。
【０００３】
また、洗濯排水や濃縮廃液等の放射性排水をセラミック膜を備えたフィルタに循環させてクロスフローろ過を行うに際し、フィルタ出口のろ過水流量を一定に保ちながらクロスフローろ過を行うことを特徴とする放射性排水のろ過方法（特許文献２参照）なども提案されている。
【先行技術文献】
【特許文献】
【０００４】
【特許文献１】特開平６−２０１８９７号公報
【特許文献２】特開２００１−１０８７８９号公報
【発明の概要】
【発明が解決しようとする課題】
【０００５】
ところが、従来技術が処理対象としているのは低レベル放射性廃液であり、その処理量も限定的な量を想定していた。こうした従来技術では、継続的に生じる高レベル放射性廃液を大量に処理することは困難であり、現状として放射性廃液をタンクに一時貯留して後の措置を待つしかなかった。また、処理対象が低レベル放射性廃液であっても、その量が大量であれば従来技術でも対応できず、前記同様に一時的に貯蔵するか、或いは低レベル放射性故に海に放出するといった処理がとられることとなっていた。いずれにしても、大量の放射性廃液を適切に処理する技術が望まれている。  
そこで本発明は、大量の放射性廃液を効率良く処理する技術の提供を目的とする。
【課題を解決するための手段】
【０００６】
上記課題を解決する本発明の放射性廃液中の放射性物質除去方法は、放射性廃液にベントナイトを添加して所定の処理槽で撹拌する第１の工程と、該撹拌を行った放射性廃液に凝集剤を添加することでベントナイト分を凝集させて抽出する第２の工程と、を備え、ベントナイト分抽出後の放射性廃液の放射性レベルが所定基準以上である場合、該当放射性廃液に関して前記第１及び第２の工程を複数回繰り返す放射性廃液中の放射性物質除去方法において、
ベントナイト分抽出後の放射性廃液の放射性レベルが所定基準以下である場合、該当放射性廃液を海に放出し、
前記第１及び第２の工程を所定回数繰り返しても、ベントナイト分抽出後の放射性廃液の放射性レベルが所定基準以上であり、かつ、前記放射性廃液に半減期が所定期間以下である所定核種のみ含まれていた場合、該当放射性廃液を貯留して前記放射性レベルが所定基準以下となるのを待って海に放出し、
前記第１及び第２の工程を所定回数繰り返しても、ベントナイト分抽出後の放射性廃液の放射性レベルが所定基準以上であり、かつ、前記放射性廃液に半減期が所定期間以上である核種が含まれていた場合、該当放射性廃液を深地層の岩盤に注入する、
ことを特徴とする。
【０００７】
このような技術によれば、放射性廃液とベントナイトとを混合・撹拌することで、放射性核種を吸着する性質を持ち、水中に分散浮遊するベントナイトに、放射性廃液中の放射性物質を無駄なく吸着させることができる。また、放射性廃液中の放射性物質を吸着したベントナイトを凝集沈殿させて分離することで、放射性物質のハンドリングも容易となる。従って、大量の放射性廃液であっても効率的に処理して放射性物質除去を図ることができる。
【０００８】
なお、前記凝集剤としては、例えばアルミニウム系凝集剤があげられる。アルミニウム系凝集剤は、硫酸バンドやＰＡＣ（ポリ塩化アルミニウム）等の、溶解性が高く即効性があると言われる凝集剤である。
【０００９】
また、ベントナイト分抽出後の放射性廃液の放射性レベルが所定基準以上である場合、該当放射性廃液に関して前記第１及び第２の工程を複数回繰り返すことで、各工程を一度実行しただけでは放射性物質除去が十分でない状況が生じたとしても、こうした状況にも柔軟に対応し、放射性廃液中の放射性物質除去を確実に行うことができる。
さらに、ベントナイト分抽出後の放射性廃液の放射性レベルが所定基準以下である場合、該当放射性廃液を海に放出し、ベントナイト分抽出後の放射性廃液の放射性レベルが所定基準以上であり、前記放射性廃液に半減期が所定期間以下である所定核種のみ含まれていた場合、該当放射性廃液を貯留して前記放射性レベルが所定基準以下となるのを待って海に放出し、ベントナイト分抽出後の放射性廃液の放射性レベルが所定基準以上であり、前記放射性廃液に半減期が所定期間以上である核種が含まれていた場合、該当放射性廃液を深地層の岩盤に注入することで、放射性物質除去後の放射性廃液を基準値以下にして放流するか、あるいは、基準値以下になるまでに数十年から数百年の期間を要するような場合には岩盤のバリアにより放射線による汚染を封じ込めることができるので、環境負荷を考慮しつつ効率的に処理することができる。
【００１０】
また、前記放射性廃液中の放射性物質除去方法において、前記第２の工程で抽出したベントナイトに固化剤を添加して所定容器にて固化させる第３の工程を含むとしてもよい。  
このような技術によれば、放射性物質を吸着したベントナイトを扱いやすい固体状とでき、その後のハンドリングも容易となる。
【００１２】
また、本発明の放射性廃液中の放射性物質除去システムは、放射性廃液にベントナイトの添加を行うベントナイト添加装置と、
前記ベントナイトの添加を行った放射性廃液を収容する所定の処理槽と、
前記処理槽における放射性廃液の撹拌を行う撹拌装置と、
前記撹拌が行われた放射性廃液に凝集剤を添加する凝集剤添加装置と、
前記凝集剤の添加により凝集したベントナイト分を抽出する抽出装置と、
ベントナイト分抽出後の放射性廃液の放射性レベルを測定する測定装置と、
前記測定した放射性レベルが所定基準以上である場合、該当放射性廃液を前記ベントナイト添加装置に再投入する放射性廃液循環装置と、
前記ベントナイト分抽出後の放射性廃液を、海、貯留手段、及び深地層の岩盤にそれぞれ排出するための第１、第２、及び第３の排出系統と、
前記放射性廃液を前記第１、第２、及び第３の排出系統の何れかに供給するポンプ手段と、
前記測定した放射性レベルが所定の基準値以下である場合に、前記放射性廃液を前記第１の排出系統に排出させるように前記ポンプ手段を制御し、前記放射性廃液を前記ベントナイト添加装置に再投入した回数が所定回数に達しても、前記測定した放射性レベルが所定の基準値以上である場合に、前記放射性廃液に半減期が所定期間以下である所定核種のみ含まれていれば、前記放射性廃液が前記第２の排出系統に排出されるように前記ポンプ手段を制御し、前記放射性廃液に半減期が所定期間以上である核種が含まれていれば、前記放射性廃液が前記第３の排出系統に排出されるように前記ポンプ手段を制御する制御手段と、
を備えることを特徴とする。
【発明の効果】
【００１４】
本発明によれば、大量の放射性廃液を効率良く処理することが可能となる。
【図面の簡単な説明】
【００１５】
【図１】本実施形態における放射性物質除去システムの例を示す図である。
【図２】本実施形態における放射性物質除去方法の手順例を示すフロー図である。
【図３】本実施形態におけるベントナイトへの核種吸着率の例を示す図である。
【発明を実施するための形態】
【００１６】
−−−放射性物質除去システムの構成例−−−
以下に本発明の実施形態について図面を用いて詳細に説明する。図１は、本実施形態における放射性物質除去システム１００の例を示す図である。図に示す例では、原子力関連施設等で発生した放射性廃液１を処理槽２に導いた後、そこにベントナイト８の添加を行って撹拌し、凝集剤１２の添加によりベントナイト分をフロック４０として沈降させた後の上澄み水３を、圧送ポンプ５による搬送ライン４経由で次なる処理槽２に導入する構成としている。本実施形態では、一例として、前記処理槽２が２基直列に配置され、上流側の処理槽２での上澄み水３を下流側の処理槽２の処理対象としており、配管５０により、下流側の処理槽２の上澄み液３を上流側の処理槽２に投入できるようになっている。勿論、１基の処理槽２だけで放射性物質除去が十分行われる状況であれば、処理槽２の配置数は１つであっても構わない。また、放射性物質除去が十分でない場合は３基以上の処理槽２を設置することも考えられ、この場合は、最下流側の処理槽２の上澄み液３を最上流側の処理槽２へ投入するための配管を設ければよい。前記ベントナイト８は、ベントナイトタンク７から処理槽２に、ベントナイト添加ポンプ６（ベントナイト添加装置）により圧送される。
【００１７】
前記処理槽２の槽内には適宜な撹拌機構９が設置されており、槽内の放射性廃液１とベントナイト８とを撹拌している。撹拌機構９としては、例えばローターを採用できる。ローターは、処理槽の内径を略横断する撹拌腕をモーター等で回転させ、槽内の貯留物を撹拌するものとなる。
【００１８】
また、前記処理槽２においては、放射性廃液１とベントナイト８の混合液の濁度に応じた量の適切な凝集剤添加が行われる。そこで処理槽２には、凝集剤添加ポンプ１０が接続されている。この凝集剤添加ポンプ１０は、凝集剤タンク１１より凝集剤１２を吸引し、流量調整弁１０ａを介して適宜な分量の凝集剤１２を処理槽２に供給する。
【００１９】
前記撹拌機構９により撹拌された放射性廃液１とベントナイト８の混合液におけるベントナイト分は、その沈下に凝集剤１２の添加が必要になる、いわゆる浮遊懸濁物である。浮遊懸濁物は、電荷を帯びて静電気的な反発力が互いに働いており、時間が経過しても自ら沈降しない。また、ベントナイト８は放射性廃棄物の岩盤内処分の際にバリアとして使用されるように、放射性核種を吸着する性能を持っているため、放射性廃液中を浮遊しながら放射性核種を吸着する。しかしながらベントナイト８は、粒径が非常に小さいため通常の物理的処理では除去が困難である。そこで、電荷を中和する働きを示す凝集剤１２を濁水中に添加すれば、浮遊懸濁物は静電気的な反発力を失って互いに凝集するようになる。従って処理槽２において濁度に応じた量の適切な凝集剤添加が行われると、前記混合液は適宜なフロック４０（放射性物質を吸着したベントナイト分）を形成して濁度が低減されたものとなりやすい。
【００２０】
なお、前記流量調整弁１０ａには、弁の開閉機構を制御する制御装置たるコンピュータ３０が接続されている。このコンピュータ３０は、例えば処理槽２に設置された濁度計２５から送られる信号（濁度を示すデータ）を所定のインターフェイスを介して取得し、その信号が示す濁度の値の大小に応じて必要となる凝集剤１２の必要量を演算し、この必要量（流量）に対応した開度とする指令を前記弁の開閉機構に通知する。コンピュータ３０は、前記必要量の演算に際し、予め記憶手段に保持している相関式に前記濁度の値を代入することになる。前記相関式とは、処理対象となる前記混合液の濁度と、所定基準までその濁度を低下させる凝集剤１２の添加量との関係を示す式である。
【００２１】
また、本実施形態での凝集剤１２としては、例えば、ＰＡＣ（ポリ塩化アルミニウム）を採用できる。ＰＡＣにより、前記混合液が含む浮遊懸濁物すなわちベントナイト分の電荷を中和して互いに凝集させることにより、濁度低減を図るのである。こうした凝集剤１２の採用例はあくまで一例であり、前記混合液の性状や求められる凝集効果等に応じて、採用する凝集剤は様々である。
【００２２】
また、前記処理槽２の底部には、前記添加剤１２による凝集効果で生じたフロック４０が沈降することになるが、これを回収し処理槽外に排出するための吸引ポンプ１４が備わっている。この吸引ポンプ１４により槽外に排出されたフロック４０すなわちベントナイト分は、所定の搬送経路を通って脱水装置１５に投入されることになる。従って、本実施形態における放射性物質除去システム１００に脱水装置１５が備わると好適である。
【００２３】
この脱水装置１５としては、所定径の目開きの不織布で構成された袋体が採用できる。袋体にフロック４０が投入されると、フロック４０の含む水分は自重で不織布を通過して落下し、不織布上にはベントナイト分のみが残る。
【００２４】
前記脱水装置１５を経てフロック４０から抽出されたベントナイト８ａは、吸引ポンプやコンベア等の搬送手段１６を通って、例えばドラム缶１７に投入されることになる。また、このドラム缶１７のベントナイト８ａに対しては、セメント等の固化剤１８が投入される。従って本実施形態の放射性物質除去システム１００には、前記搬送手段１６、ドラム缶１７（収容容器）、固化剤添加装置１９が備わっているとすれば好適である。固化剤たるセメント１８を投入する固化剤添加装置１９としては、例えば、セメントの圧送ポンプ等が採用できる。ドラム缶１７に投入されたベントナイト８ａと固化剤１８とは一体に固化し、放射性廃棄物として管理することができる。
【００２５】
なお、メンテナンス作業が自動化でき、作業員の被爆が回避できれば、前記脱水装置１５としてフィルタープレスを採用することもできる。その場合、前記フロック４０に含まれるベントナイト分をフィルタープレスの濾布等で濾しとってケーキを生成し、これを外部に排出することとなるため、放射性物質を含む廃棄物量を大幅に削減できる。
【００２６】
脱水装置１５から排出された残液１ａは、循環装置２０により処理槽２に環流される。
【００２７】
放射性レベルを測定する測定装置１３は、放射性レベルのセンサーを備えた測定装置であり、適宜なインターフェイスを介して前記コンピュータ３０と通信可能に接続されている。
【００２８】
また、放射性物質除去システム１００には、下流側の処理槽２に設置された排水装置２１が含まれている。排水装置２１は、上澄み液３を外部に放出する装置であり、海や岩盤など上澄み液３の排出先との間を結ぶ圧送装置である。排水装置２１は、例えばコンピュータ３０からの指示に応じた系統の圧送ポンプ５を駆動し、該処理槽２における上澄み水３を、上流側の処理槽２、貯留タンク、海、又は深地層の岩盤に送る機能を果たす。コンピュータ３０がこの処理槽２での上澄み水３をどの系統に送るかは、測定装置１３による上澄み水３の放射性レベルや含有される核種の半減期の値によって判定することになる。
【００２９】
例えば、原子力関連施設の放射性廃液１を処理して生じた上澄み水３について、測定装置１３で測定した放射性レベルが所定基準以下になっていた場合、コンピュータ３０は排水装置２１に、上澄み水３を海へ圧送する旨の駆動信号を送信するとすれば好適である。排水装置２１は、コンピュータ３０から上記駆動信号を受けると、排出先である海への配管系統に対応した圧送ポンプ５を稼働させ、上澄み液３を海へ圧送する動作を行う。
【００３０】
また、上述した排水装置２１による処理槽２への再投入を所定回数（例：５回）繰り返した後の上澄み液３について、測定装置１３で測定した放射性レベルが所定基準以上であり、かつ、前記放射性廃液に半減期が所定期間以下である核種のみ含まれていた場合、コンピュータ３０は排水装置２１に、上澄み液３を貯留タンクに圧送する旨の駆動信号を送信するとすれば好適である。
【００３１】
排水装置２１は、コンピュータ３０から上記駆動信号を受けると、例えば上澄み液３を貯留するタンクへの配管系統に対応した圧送ポンプを稼働させ、上澄み液３を前記タンクまで圧送する動作を行う。また、このタンクにおける上澄み液３については、測定装置１３で放射性レベルを測定しており、この放射性レベルが所定基準以下となった場合に、コンピュータ３０は、上澄み液３を貯留するタンクから海までの配管系統に対応した圧送ポンプを稼働させ、タンク内の上澄み液３を海まで圧送する動作を行う。
【００３２】
また、上述した排水装置２１による上澄み液３の処理槽２への再投入を所定回数（例：５回）繰り返した後の上澄み液３について、測定装置１３で測定した放射性レベルが所定基準以上であり、かつ、前記放射性廃液に半減期が所定期間以上である核種が含まれていた場合、コンピュータ３０は排水装置２１に、上澄み液３を深地層の岩盤内に圧送する旨の駆動信号を送信するとすれば好適である。排水装置２１は、コンピュータ３０から上記駆動信号を受けると、例えば上澄み液３の圧入先である深地層の岩盤への配管系統に対応した圧送ポンプ５を稼働させ、上澄み液３を前記岩盤まで圧送する動作を行う。
【００３３】
−−−放射性物質除去の手順例−−−
続いて、放射性廃液中の放射性物質除去方法の手順例について説明する。図２は本実施形態における放射性廃液中の放射性物質除去方法の処理手順例を示すフロー図である。まず、原子力関連施設等で発生した放射性廃液１を処理槽２に投入して、そこにベントナイト８の添加を行って撹拌する（ｓ１００）。ベントナイト８は核種を効率良く吸着することが知られており、岩盤処分時のバリアとしての性能評価の数値を用いてシミュレーションすると図３のグラフに示すように、放射性廃液１０トンあたり、３０ｋｇ程度のベントナイト８を投入すると、プルトニウム等は９割以上吸着され、セシウムも５割程度は吸着されることとなる。
【００３４】
撹拌機構９による撹拌により、処理槽２にてベントナイト８と放射性廃液１とが混合されると、ベントナイト８に由来して泥水状となる。上述したように、撹拌機構９により撹拌された放射性廃液１とベントナイト８の混合液におけるベントナイト分（放射性物質が吸着したもの）は、その沈下に凝集剤１２の添加が必要になる、いわゆる浮遊懸濁物である。
【００３５】
そこで、前記処理槽２において、放射性廃液１とベントナイト８の混合液に対して凝集剤１２の添加を実行する（ｓ１０１）。この場合、処理槽２に備わる凝集剤添加ポンプ１０が、凝集剤タンク１１より凝集剤１２を吸引し、流量調整弁を介して適宜な分量の凝集剤１２を処理槽２に供給する。
【００３６】
処理槽２における凝集剤添加が行われると、前記混合液は適宜なフロック４０（放射性物質を吸着したベントナイト分）を形成して濁度が低減される。こうして、処理槽２の底部には、前記添加剤１２による凝集効果で生じたフロック４０が沈降することになる。
【００３７】
一方、凝集剤１２の添加によりベントナイト分を抽出した後の上澄み水３は、圧送ポンプ５によりフロック４０と分離される（ｓ１０２）。なお、上記のように、本実施形態では、一例として、処理槽２が２基配置され、上流側の処理槽２での上澄み水３を下流側の処理槽２の処理対象としている。
【００３８】
処理槽２の底部に沈降してきたフロック４０については、これを吸引ポンプ１４で回収し処理槽外に排出する（ｓ１０３）。また、この吸引ポンプ１４により槽外に排出されたフロック４０すなわちベントナイト分は、所定の搬送経路を通って脱水装置１５に投入する（ｓ１０４）。
【００３９】
脱水装置１５にフロック４０が投入されると、フロック４０の含む水分は自重で脱水装置１５を通過して落下し、脱水装置１５上にはベントナイト分のみが残る。こうして、各処理槽２から生じたフロック４０の脱水処理を実行する（ｓ１０５）。
【００４０】
前記脱水装置１５を経てフロック４０から抽出されたベントナイト分は、コンベア等の搬送手段１６を介して、ドラム缶１７に投入する（ｓ１０６）。また、このドラム缶１７のベントナイト分に対しては、セメント等の固化剤１８を固化剤添加装置１９により投入する（ｓ１０７）。ドラム缶１７に投入されたベントナイト分と固化剤１８とは、一定時間経過後に一体に固化し、放射性廃棄物として管理することができる。
【００４１】
また、下流側の処理槽２の上澄み水３の放射性レベルを測定装置１３で測定し（ｓ１０７ａ）、この測定した放射性レベルを所定基準と比較して、所定基準以上であった場合（ｓ１０８：ＮＧ）、放射性廃液１からの放射性物質除去がまだ不十分であると判定し、下流側の処理槽２における排水装置１３に駆動信号を送信して該当放射性廃液すなわち上澄み液３を上流側の処理槽２に再投入する（ｓ１１０）。処理槽２に再投入された上澄み液３は、前記ベントナイト添加ポンプ６からベントナイト８を再び添加され、各工程を再び巡ることになる。こうした上澄み液３の処理槽２への再投入は、例えば所定回数（例：５回）を限度に繰り返す（ｓ１０９：ｙ→ｓ１１０）。
【００４２】
一方、前記測定装置１３で測定した放射性レベルが所定基準以下である場合（ｓ１０８：ＯＫ）、排水装置２１によって上澄み液３を海まで圧送し放出する（ｓ１１１）。
【００４３】
他方、上澄み液３の放射性レベルが所定基準以上、かつ、上述した上澄み液３の処理槽２への再投入が所定回数（例：５回）以上で（ｓ１０８：ＮＧ→ｓ１０９：ｎ）、該当残液１ａに半減期が所定期間以下である核種のみ含まれていた場合（ｓ１１２：ｙ）、排水装置２１を稼働させ上澄み液３を一時的にプールする所定タンクまで圧送する（ｓ１１３）。そして、タンク内の上澄み液３を所定期間放置して（ｓ１１６）、このタンクにおける上澄み液３の放射性レベルが所定基準以下となったら（ｓ１１４：ｙ）、上澄み液３を前記タンクから海まで圧送し放出する（ｓ１１１）。
【００４４】
また、上澄み液３の放射性レベルが所定基準以上、かつ、上述した上澄み液３の処理槽２への再投入が所定回数（例：５回）以上で（ｓ１０８：ＮＧ→ｓ１０９：ｎ）、該当残液１ａに半減期が所定期間以上である核種が含まれていた場合（ｓ１１２：ｎ）、排水装置２１を稼働させ、上澄み液３を圧入先である深地層の岩盤まで圧送し圧入する（ｓ１１５）。
【００４５】
こうした本実施形態によれば、大量の放射性廃液が生じる状況であっても、これを効率良く、しかも確実に処理することが可能となる。また、上記各工程を自動化して人手による作業を最小限にとどめることが出来るため、人員が受ける放射性物質からの影響を適宜抑制できる。
【００４６】
以上、本発明の実施の形態について、その実施の形態に基づき具体的に説明したが、これに限定されるものではなく、その要旨を逸脱しない範囲で種々変更可能である。
【００４７】
例えば、上記実施形態では、下流側の処理槽２（３基以上の処理槽２を設ける場合は最下流側の処理槽２）の上澄み液３の放射性レベル及び核種に応じて、その上澄み液３を各所（上流側の処理槽２，貯留タンク、海、あるいは岩盤）へ圧送するものとしたが、これに限らず、脱水装置１５の残液１ａの放射性レベルを測定し、その放射性レベルの値及び核種に応じて、残液１ａを上記各所へ圧送することとしてもよい。
【符号の説明】
【００４８】
１  放射性廃液
１ａ  残液
２  処理槽
３  上澄み水
４  搬送ライン
５  圧送ポンプ
６  ベントナイト添加ポンプ（ベントナイト添加装置）
７  ベントナイトタンク
８  ベントナイト
８ａ  ベントナイト（放射性物質吸着後）
９  撹拌機構（ポンプ、ローター等）
１０  凝集剤添加ポンプ
１０ａ  流量調整弁
１１  凝集剤タンク
１２  凝集剤
１３  測定装置
１４  吸引ポンプ（抽出装置）
１５  脱水装置
１６  搬送手段
１７  ドラム缶（所定容器）
１８  セメント（固化剤）
１９  固化剤添加装置
２０  循環装置
２１  排水装置
３０  コンピュータ
４０  フロック
１００  放射性物質除去システム（放射性廃液中の放射性物質除去システム）
【図１】
0005782816.tif 000002
【図２】
0005782816.tif 000003
【図３】
0005782816.tif 000004